【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
遊技機前面側に設けた上皿に遊技球を排出する排出装置と、
前記排出装置を制御して賞球または貸球の排出を行う排出制御装置と、を備え、
前記排出装置は、遊技球の排出を行う排出ユニットと、該排出ユニットから排出された遊技球の流路を切り換える流路切換ユニットと、から構成され、
前記流路切換ユニットは、前記排出ユニットの球流路に連結した導入路から賞球としての遊技球を導入する賞球流路と、前記導入路から貸球としての遊技球を導入する貸球流路と、に分岐され、
前記賞球流路と貸球流路の分岐部には、該賞球流路または貸球流路への流路切換を行う流路切換弁を配設し、
前記賞球流路には、該賞球流路を通過した賞球を検出する賞球検出センサを設けるとともに、前記貸球流路には、該貸球流路を通過した貸球を検出する貸球検出センサを設け、
前記賞球流路と貸球流路とを下流で合流させた排出路から遊技球を前記上皿に排出させる遊技機において、
前記排出制御装置は、
前記排出ユニットを作動させたにもかかわらず、前記賞球検出センサまたは貸球検出センサによって遊技球が検出されない場合には、球詰まりが発生している可能性があると判定する球詰まり判定手段と、
前記球詰まり判定手段によって球詰まり発生の判定がなされたときに、前記流路切換弁を賞球側と貸球側とに往復動作させて球詰まりを解消させる往復動作手段と、
を備え、
賞球排出処理を実行している際に、前記往復動作手段によって前記流路切換弁を往復動作させた場合は、前記賞球検出センサまたは貸球検出センサのいずれかで検出された遊技球を賞球排出としてカウントし、
貸球排出処理を実行している際に、前記往復動作手段によって前記流路切換弁を往復動作させた場合は、前記賞球検出センサまたは貸球検出センサのいずれかで検出された遊技球を貸球排出としてカウントすることを特徴とする遊技機。
【請求項２】
前記排出制御装置は、
電源投入直後に前記流路切換弁を往復動作させる初期作動手段と、
当該遊技機の停電発生時に実行されていた遊技球排出が賞球排出であるか貸球排出であるかを記憶しておく排出球識別手段と、を備え、
前記初期作動手段による流路切換弁の往復動作に基づいて、前記賞球検出センサまたは貸球検出センサに検出された遊技球は、前記排出球識別手段の記憶が賞球排出であるか貸球排出であるかにしたがって、それぞれ賞球排出または貸球排出としてカウントすることを特徴とする請求項１に記載の遊技機。
【請求項３】
遊技を統轄的に制御するとともに、前記排出制御装置に賞球制御指令を送信する遊技制御装置と、
前記排出制御装置に貸球制御指令を送信する球貸制御装置と、を備え、
前記排出制御装置は、
前記遊技制御装置から賞球制御指令を受信すると、排出要求数を貯留カウンタに累積記憶し、前記排出ユニットに賞球排出を行わせ、該排出された遊技球を前記賞球検出センサで検出すると、該検出分の賞球数を前記貯留カウンタから減算するように構成する一方、
前記球貸制御装置から貸球制御指令を受信すると、貸球排出数を排出カウンタに設定し、前記排出ユニットに貸球排出を行わせ、該排出された遊技球を前記貸球検出センサで検出すると、該検出分の貸球数を前記排出カウンタから減算するように構成し、
前記流路切換弁を往復動作させて球詰まりを解消した際に、前記賞球検出センサまたは貸球検出センサのいずれかで検出された遊技球数は、賞球排出であれば前記貯留カウンタから減算し、貸球排出であれば前記排出カウンタから減算するように構成したことを特徴とする請求項１または２に記載の遊技機。
【手続補正２】
【補正対象書類名】明細書
【補正対象項目名】０００１
【補正方法】変更
【補正の内容】
【０００１】
【発明の属する技術分野】
本発明は、遊技機前面側に設けた上皿に遊技球を排出する排出装置を備えた遊技機に関する。
【手続補正３】
【補正対象書類名】明細書
【補正対象項目名】０００５
【補正方法】変更
【補正の内容】
【０００５】
【課題を解決するための手段】
第１の発明は、遊技機前面側に設けた上皿に遊技球を排出する排出装置と、前記排出装置を制御して賞球または貸球の排出を行う排出制御装置と、を備え、前記排出装置は、遊技球の排出を行う排出ユニットと、該排出ユニットから排出された遊技球の流路を切り換える流路切換ユニットと、から構成され、前記流路切換ユニットは、前記排出ユニットの球流路に連結した導入路から賞球としての遊技球を導入する賞球流路と、前記導入路から貸球としての遊技球を導入する貸球流路と、に分岐され、前記賞球流路と貸球流路の分岐部には、該賞球流路または貸球流路への流路切換を行う流路切換弁を配設し、前記賞球流路には、該賞球流路を通過した賞球を検出する賞球検出センサを設けるとともに、前記貸球流路には、該貸球流路を通過した貸球を検出する貸球検出センサを設け、前記賞球流路と貸球流路とを下流で合流させた排出路から遊技球を前記上皿に排出させる遊技機において、前記排出制御装置は、前記排出ユニットを作動させたにもかかわらず、前記賞球検出センサまたは貸球検出センサによって遊技球が検出されない場合には、球詰まりが発生している可能性があると判定する球詰まり判定手段と、前記球詰まり判定手段によって球詰まり発生の判定がなされたときに、前記流路切換弁を賞球側と貸球側とに往復動作させて球詰まりを解消させる往復動作手段と、を備え、賞球排出処理を実行している際に、前記往復動作手段によって前記流路切換弁を往復動作させた場合は、前記賞球検出センサまたは貸球検出センサのいずれかで検出された遊技球を賞球排出としてカウントし、貸球排出処理を実行している際に、前記往復動作手段によって前記流路切換弁を往復動作させた場合は、前記賞球検出センサまたは貸球検出センサのいずれかで検出された遊技球を貸球排出としてカウントする。
【手続補正４】
【補正対象書類名】明細書
【補正対象項目名】０００６
【補正方法】変更
【補正の内容】
【０００６】
第２の発明では、前記排出制御装置は、電源投入直後に前記流路切換弁を往復動作させる初期作動手段と、当該遊技機の停電発生時に実行されていた遊技球排出が賞球排出であるか貸球排出であるかを記憶しておく排出球識別手段と、を備え、前記初期作動手段による流路切換弁の往復動作に基づいて、前記賞球検出センサまたは貸球検出センサに検出された遊技球は、前記排出球識別手段の記憶が賞球排出であるか貸球排出であるかにしたがって、それぞれ賞球排出または貸球排出としてカウントする。
【手続補正５】
【補正対象書類名】明細書
【補正対象項目名】０００７
【補正方法】変更
【補正の内容】
【０００７】
第３の発明では、遊技を統轄的に制御するとともに、前記排出制御装置に賞球制御指令を送信する遊技制御装置と、前記排出制御装置に貸球制御指令を送信する球貸制御装置と、を備え、前記排出制御装置は、前記遊技制御装置から賞球制御指令を受信すると、排出要求数を貯留カウンタに累積記憶し、前記排出ユニットに賞球排出を行わせ、該排出された遊技球を前記賞球検出センサで検出すると、該検出分の賞球数を前記貯留カウンタから減算するように構成する一方、前記球貸制御装置から貸球制御指令を受信すると、貸球排出数を排出カウンタに設定し、前記排出ユニットに貸球排出を行わせ、該排出された遊技球を前記貸球検出センサで検出すると、該検出分の貸球数を前記排出カウンタから減算するように構成し、前記流路切換弁を往復動作させて球詰まりを解消した際に、前記賞球検出センサまたは貸球検出センサのいずれかで検出された遊技球数は、賞球排出であれば前記貯留カウンタから減算し、貸球排出であれば前記排出カウンタから減算するように構成した。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
【発明の作用および効果】
第１の発明では、球詰まり判定手段によって球詰まりが発生している可能性があると判定されたときには、往復動作手段によって流路切換弁を往復動作させるので、球詰まりが適切に解消される。
また、賞球排出処理を実行している際に、往復動作手段によって流路切換弁を往復動作させた場合は、賞球検出センサまたは貸球検出センサのいずれかで検出された遊技球を賞球排出としてカウントし、貸球排出処理を実行している際に、往復動作手段によって流路切換弁を往復動作させた場合は、賞球検出センサまたは貸球検出センサのいずれかで検出された遊技球を貸球排出としてカウントするので、遊技球が適切な流路に導かれるとは限らないにもかかわらず、排出された賞球数と貸球数は正しくカウントできる。
【手続補正９】
【補正対象書類名】明細書
【補正対象項目名】００１１
【補正方法】変更
【補正の内容】
【００１１】
第２の発明では、電源投入直後（例えば停電からの復帰直後）に初期作動手段によって流路切換弁が往復動作させられるので、遊技球排出中に停電が発生して球詰まりが発生していた場合は、遊技開始前に適切に解消され、正しい遊技球排出を行える。
また、初期作動手段による流路切換弁の往復動作によって排出された遊技球は、停電時に賞球排出がなされていたのか貸球排出がなされていたのかによって、賞球排出または貸球排出としてカウントされる。したがって、初期作動においては遊技球は適切な流路に導かれるとは限らないにもかかわらず、排出された賞球数と貸球数は正しくカウントできる。
【手続補正１０】
【補正対象書類名】明細書
【補正対象項目名】００１２
【補正方法】変更
【補正の内容】
【００１２】
第３の発明では、排出制御装置は、遊技制御装置から賞球制御指令を受信すると、排出要求数を貯留カウンタに累積記憶し、排出ユニットに賞球排出を行わせ、排出された遊技球を賞球検出センサで検出すると、検出分の賞球数を貯留カウンタから減算するように構成する一方、球貸制御装置から貸球制御指令を受信すると、貸球排出数を排出カウンタに設定し、排出ユニットに貸球排出を行わせ、排出された遊技球を貸球検出センサで検出すると、検出分の貸球数を排出カウンタから減算するように構成し、流路切換弁を往復動作させて球詰まりを解消した際に、賞球検出センサまたは貸球検出センサのいずれかで検出された遊技球数は、賞球排出であれば貯留カウンタから減算し、貸球排出であれば排出カウンタから減算するように構成したので、遊技球が適切な流路に導かれるとは限らないにもかかわらず、排出された賞球数と貸球数は正しくカウントできる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】